(57)【要約】【課題】スプリングとダンパーの双方を組み込んだ跳ね上げ式手摺をコンパクトに構成する。【解決手段】跳ね上げ式手摺１Ａが、ベースフレーム４に固定される一対の軸固定具２０、軸固定具２０に転がり軸受１０又は滑り軸受を介して回動自在に取り付けられた筒状の回転部本体３、回転部本体３に接合した手摺本体２、並びに回転部本体３内に設けられたスプリング４０及び回転系ダンパー５０を有し、一方の軸固定具２０にスプリング４０の一端が固定され、他方の軸固定具２０に回転系ダンパー５０の回転軸５１が固定され、スプリング４０の他端と回転系ダンパー５０の本体ケース５２が回転部本体３と共に回動する。【選択図】図２Ａ
2011190670.tif 000002
【特許請求の範囲】
【請求項１】
ベースフレームに固定される一対の軸固定具、軸固定具に転がり軸受又は滑り軸受を介して回動自在に取り付けられた筒状の回転部本体、回転部本体に接合した手摺本体、並びに回転部本体内に設けられたスプリング及び回転系ダンパーを有し、スプリングの一端が一方の軸固定具に固定されると共に、回転系ダンパーの回転軸又は本体ケースが他方の軸固定具に固定され、スプリングの他端と回転系ダンパーの本体ケース又は回転軸が回転部本体と共に回動するように取り付けられた跳ね上げ式手摺。
【請求項２】
軸固定具が回転部本体の中央部側にストッパー固定部材を有し、該ストッパー固定部材に回転軸本体外側から挿脱自在に嵌入する回転ストッパーを有する請求項１記載の跳ね上げ式手摺。
【請求項３】
ストッパー固定部材への回転ストッパーの挿脱を操作する操作部が、手摺り本体又はＵ字型に湾曲した手摺本体同士を接続する接続パイプに設けられている請求項２記載の跳ね上げ式手摺。
【請求項４】
操作部が、接続パイプに設けられた操作ボタンからなり、該ボタンの押し込みにより回転ストッパーがストッパー固定部材から外れ、押し込みの解除により回転ストッパーがストッパー固定部材に嵌入する請求項３記載の跳ね上げ式手摺。
【発明の詳細な説明】
【技術分野】
【０００１】
本発明は、トイレ、浴室、洗面所などに設置される跳ね上げ式手摺に関する。
【背景技術】
【０００２】
従来より、身体の不自由な高齢者、障害者などのために、トイレ、浴室、洗面所等に手摺が設けられている。手摺には、種々のタイプのものが知られているが、中でも手摺本体の一端を回動中心にして回動可能に取り付けることにより、手摺の使用時には手摺本体が床面に対して水平となるが、非使用時には床面に対して垂直に起立した状態に片付けることのできる垂直可動型手摺は、狭いスペースにも設置することができるという利点を有している。
【０００３】
垂直可動型手摺では、手摺の使用時に、まず、手摺本体を起立状態から水平状態に倒すことが必要とされる。このとき手摺本体が急激に回動降下すると、手摺本体は一般に硬くて重たいステンレスパイプで形成されているため、怪我等の原因となる。そこで、手摺本体の急激な回動降下に制動をかけるため、ダンパーが使用される（特許文献１）。
【０００４】
一方、垂直可動型手摺では、手摺を使用した後に、手摺本体が床面に対して垂直に起立するまで、手摺本体を回動上昇させることが必要になるが、これには相当の力が必要とされ、使用者の負担となる。これに対しては、手摺本体を持ち上げる方向に付勢するスプリングが使用され、かかるスプリングと上述のダンパーの双方を組み込んだ跳ね上げ式手摺が提案されている（特許文献２）。
【先行技術文献】
【特許文献】
【０００５】
【特許文献１】特開平９−２０９５３５号公報
【特許文献２】特開平１０−２４５９５６号公報
【発明の概要】
【発明が解決しようとする課題】
【０００６】
手摺にスプリングとダンパーの双方を組み込んだ跳ね上げ式手摺によれば、手摺の使用時には、起立していた手摺本体をゆっくりと回動降下させて倒すことができ、また、手摺の使用後には、軽い力で回動上昇させ、手摺本体を壁に沿って起立させた状態に片付けることができる。
【０００７】
しかしながら、スプリングとダンパーの双方を組み込んだ従来の跳ね上げ式手摺は、手摺本体の回動中心となる筒状の回転部本体内に、固定軸を貫通させ、その固定軸にスプリングとダンパーをそれぞれ取り付けるため、回転部本体周りをコンパクト化することができず、部品点数も多くなり、製造コストも高くなるという問題があった。
【０００８】
これに対し、本発明は、スプリングとダンパーの双方を組み込んだ跳ね上げ式手摺のコンパクト化を目的とする。
【課題を解決するための手段】
【０００９】
本発明は、手摺本体の回動中心となる筒状の回転部本体を、摩擦抵抗の少ない特定の軸受を用いて回動自在に支持することにより、回転部本体内に固定軸を貫通させることを不要とすると、跳ね上げ式手摺の回転部本体周りをコンパクト化することができ、また、回転部本体の回動が著しく滑らかになることを見出した。
【００１０】
即ち、本発明は、ベースフレームに固定される一対の軸固定具、軸固定具に転がり軸受又は滑り軸受を介して回動自在に取り付けられた筒状の回転部本体、回転部本体に接合した手摺本体、並びに回転部本体内に設けられたスプリング及び回転系ダンパーを有し、スプリングの一端が一方の軸固定具に固定されると共に、回転系ダンパーの回転軸又は本体ケースが他方の軸固定具に固定され、スプリングの他端と回転系ダンパーの本体ケース又は回転軸が回転部本体と共に回動するように取り付けられた跳ね上げ式手摺を提供する。
【発明の効果】
【００１１】
本発明の跳ね上げ式手摺によれば、手摺本体の回動中心となる回転部本体を、転がり軸受又は滑り軸受により回動自在に支持するので、回転部本体内に固定軸を貫通させることが不要となり、そこにスプリングと回転系ダンパーを組み込むことができる。そのため、回転部本体周りをコンパクトに構成することができ、跳ね上げ式手摺の設置に要する壁面積を小型化することができる、また、回転部本体の回動が滑らかになる。
【図面の簡単な説明】
【００１２】
【図１】図１は、実施例の跳ね上げ式手摺の斜視図である。
【図２Ａ】図２Ａは、図１の跳ね上げ式手摺の回転部本体周りの透視図である。
【図２Ｂ】図２Ｂは、図１の跳ね上げ式手摺の回転部本体周りの断面図である。
【図３】図３は、図１の跳ね上げ式手摺の回転部本体周りの分解斜視図である。
【図４】図４は、異なる実施例の跳ね上げ式手摺の斜視図である。
【図５Ａ】図５Ａは、図４の跳ね上げ式手摺の回転部本体周りの透視図である。
【図５Ｂ】図５Ｂは、図４の跳ね上げ式手摺の回転部本体周りの断面図である。
【図６】図６は、さらに異なる実施例の跳ね上げ式手摺の斜視図である。
【図７】図７は、図６の跳ね上げ式手摺の回転ストッパー付近の断面図である。
【図８】図８は、図６の跳ね上げ式手摺の回転部本体周りの断面図である。
【発明を実施するための形態】
【００１３】
以下、図面を参照しつつ本発明を詳細に説明する。なお、各図中、同一符号は、同一又は同等の構成要素を表している。
【００１４】
図１は、本発明の一実施例の跳ね上げ式手摺１Ａの斜視図である。この跳ね上げ式手摺１Ａは、Ｕ字型に湾曲したパイプからなる手摺本体２と、手摺本体２の一端に接合した回転部本体３と、回転部本体３を、トイレ、浴室、洗面所などの壁面に取り付けるベースフレーム４を有している。手摺本体２は図中矢印で示したように回転部本体３を回動中心として回動する。
【００１５】
回転部本体３は、手摺本体２の回動面に垂直な方向に伸びた直管の筒状体、より具体的には、手摺本体２と同様のパイプから形成され、手摺本体２に溶接などにより接合される。図２Ａは、この跳ね上げ式手摺１Ａの回転部本体３周りの透視図、図２Ｂは、その断面図であり、図３はその分解斜視図である。これらの図に示すように、回転部本体３は、その両端部が、ベースフレーム４に固定された一対の軸固定具２０ａ、２０ｂに、転がり軸受１０を介して回動自在に取り付けられている。
【００１６】
軸固定具２０ａ、２０ｂは、ベースフレーム４の左右一対の取付プレート４ａ、４ｂにそれぞれボルトで固定される端部固定部材２１と、端部固定部材２１にボルトで固定される第１の内部固定部材２２、第２の内部固定部材２３（２３ａ、２３ｂ）からなり、第１の内部固定部材２２と第２の内部固定部材２３との間に、転がり軸受１０の内輪１１が挟持固定される。ここで、転がり軸受１０としては、深溝玉軸受等の玉軸受等を好ましく使用することができる。なお、本発明では、転がり軸受１０に代えて、無給油ブッシュ等の滑り軸受を使用してもよい。
【００１７】
なお、取付プレート４ａ、４ｂの端部固定部材２１の取付部分には、化粧カバー２４が取り付けられる。
【００１８】
一対の第２の内部固定部材の一方２３ａには、コイル状のスプリング４０の一端４０ａを挿入し、固定できるように小孔２３ｐが形成されており、また、他方の第２の内部固定部材２３ｂの端面には、ロータリーダンパー等の回転系ダンパー５０の回転軸５１を嵌入
固定できる六角筒状の凹部２３ｑが形成されている。なお、スプリング４０の一端４０ａを挿入する第２の内部固定部材２３ａと、回転系ダンパー５０の回転軸５１を嵌入固定する第２の内部固定部材２３ｂとは、必ずしも同一形状にする必要はなく、スプリング４０の一端４０ａを挿入する第２の内部固定部材２３ａには、回転系ダンパー５０の回転軸５１を嵌入する凹部２３ｑの形成は不要であるが、これらを同一形状にすると、部材の共通化が図れるので好ましい。
【００１９】
一方、回転部本体３には、転がり軸受１０の外輪を挟持するためのＣ型留具３１の環状凸部３１ｐを嵌め込む環状溝３０が、スプリング４０取付側の端部に二筋形成され、回転系ダンパー５０取付側の端部に一筋形成されている。Ｃ型留具３１の環状凸部３１ｐの外径は回転部本体３の内径よりも大きいが、図３に示すように、Ｃ型留具３１がＣ字型に形成されていることにより、撓ませて縮径させることができ、これによりＣ型留具３１を回転部本体３に挿入して、その環状凸部３１ｐを回転部本体３の環状溝３０に嵌め込むことが可能となる。
【００２０】
また、回転部本体３の中央部内面には、有底筒状のダンパー固定部品３２の周面が溶接により固定されている。このダンパー固定部品３２は、回転系ダンパー５０の角柱形状の本体ケース５２を嵌入固定できるように、筒状部３２ｐが角筒状に形成されている。また、この筒状部３２ｐと反対側の底面には、スプリング４０の他端４０ｂを挿入固定する小孔３２ｑが形成されている。
【００２１】
さらに、回転系ダンパー５０の回転軸５１側の回転部本体３の内面には、円筒状留具３３が接着されている。円筒状留具３３の内径は、回転系ダンパー５０の本体ケース５２の外径よりも大きく、円筒状留具３３を通して回転系ダンパー５０を回転部本体３の内部に挿入し、装着することが可能となっている。また、この円筒状留具３３とＣ型留具３１とで転がり軸受１０の外輪１２が挟持固定されるようになっている。
【００２２】
回転系ダンパー５０としては、手摺本体２の回動降下に対しては制動するが、スプリング４０の付勢により手摺本体２を回動上昇させるときには制動がかからないようにオイルを使用した一方向性のロータリーダンパーを使用することが好ましい。
【００２３】
この跳ね上げ式手摺１Ａの組み立て方法の一例としては、まず、回転部本体３内にダンパー固定部品３２と円筒状留具３３を溶接により固定する。また、第１の内部固定部材２２と第２の内部固定部材２３ａ、２３ｂとで転がり軸受１０の内輪１１を挟持してボルトで固定することにより第１、第２の内部固定部材と転がり軸受の接合体を一対作っておく。次に、ダンパー固定部品３２の小孔３２ｑにスプリング４０の一端４０ｂを挿入して固定する。そして、スプリング４０の他端近傍の二筋の環状溝３０のうち、内側の環状溝３０にＣ型留具３１を嵌め入れ、前述の接合体の第２の内部固定部材２３ａの小孔２３ｐにスプリング４０の他端４０ａが挿入されるようにして、その接合体を回転部本体３内に挿入する。次に、その接合体の転がり軸受１０の外輪１２を、先に嵌め入れたＣ型留具３１に合わせ、さらに残りの環状溝３０にＣ型留具３１を嵌め込むことにより、転がり軸受１０の外輪１２を回転部本体３に固定する。そして、この接合体の第１の内部固定部材２２に、端部固定部材２１をボルトで固定する。
【００２４】
一方、回転系ダンパー５０の本体ケース５２を、ダンパー固定部品３２の筒状部３２ｐに嵌め入れて固定し、次いで回転系ダンパー５０の回転軸５１側に、先に製造した接合体の残りを挿入し、その第２の内部固定部材２３ｂの凹部２３ｑを回転系ダンパー５０の回転軸５１に嵌め込み、第２の内部固定部材２３ｂと回転系ダンパー５０の回転軸５１とを固定する。この回転軸５１側の環状溝３０にＣ型留具３１を嵌め込み、この接合体の転がり軸受１０の外輪１２と回転部本体３とを固定する。そして、この接合体の第１の内部固定部材２２にも端部固定部材２１をボルトで固定する。
【００２５】
次に、スプリング４０側と回転系ダンパー５０側の双方の端部固定部材２１をベースフレーム４の取付プレート４ａ、４ｂにボルトで固定する。このとき、手摺本体２が倒れた状態で、スプリング４０の付勢を得られるように、手摺本体２が、跳ね上げ式手摺１Ａを取り付ける壁面に沿って起立した状態で、端部固定部材２１を取付プレート４ａ、４ｂに固定する。そして、その外側に化粧カバー２４を取り付ける。こうして組み立てられた跳ね上げ式手摺１Ａは、回転部本体３内に、スプリング４０と回転系ダンパー５０がコンパクトに取り付けられたものとなる。
【００２６】
また、この跳ね上げ式手摺１Ａによれば、使用時に、手摺本体２が起立している状態から、その手摺本体２を回動降下させるときには、回転系ダンパー５０の回転軸５１が軸固定具２０ｂにより取付プレート４ｂに固定された状態で、本体ケース５２が回転部本体３と共に回転するので、回転系ダンパー５０の制動により、手摺本体２はゆっくりと回動降下する。そして、Ｕ字型の手摺本体２の２つの端部のうち、回転部本体３と接合していない方の端部がベースフレーム４に突き当たった状態で、回動降下が停止し、手摺本体２が水平になる。ここで、スプリング４０も、取付プレート４ａ側の一端は軸固定具２０ａにより取付プレート４ａに固定されているが、他端はダンパー固定部品３２の小孔３２ｑに固定されていることにより回転部本体３と共に回転するので、手摺本体２の回動降下によりスプリング４０は捩れ、後に手摺本体２を回動上昇させるときの応力が蓄積する。
【００２７】
次に、水平状態にある手摺本体２を壁面に沿って起立させるには、手摺本体２を押し上げる。このとき、手摺本体２は、回動上昇する方向にスプリング４０で付勢されているので、軽い力で容易に手摺本体２を跳ね上げ、壁面に沿って起立させることができる。なお、このとき、回転系ダンパー５０として一方向性のものを使用することにより、跳ね上げ時には回転系ダンパー５０の制動が働かないようにすることができる。
【００２８】
また、この跳ね上げ式手摺１Ａによれば、手摺本体２の回動降下、回動上昇のいずれにおいても、転がり軸受１０により回転部本体３が滑らかに回動する。
【００２９】
本発明は、種々の態様をとることができる。例えば、図４に示す跳ね上げ式手摺１Ｂのように、手摺本体２が不用意に回動することを防止する回転ストッパー６０を設けることができる。図５Ａは、この跳ね上げ式手摺１Ｂの回転部本体３周りの透視図であり、図５Ｂはその断面図である。
【００３０】
この跳ね上げ式手摺１Ｂは、概略、回転部本体３内にスプリング４０と回転系ダンパー５０を有し、スプリング４０の一端４０ｂが軸固定具２０ａに固定され、他端４０ａが回転部本体３に固定され、回転系ダンパー５０の回転軸５１が、もう一方の軸固定具２０ｂに固定され、回転系ダンパー５０の本体ケース５２がダンパー固定部品３２により回転部本体３に固定されている点では、前述の跳ね上げ式手摺１Ａと共通するが、スプリング４０取付側の軸固定具２０ａが回転部本体３の中央部近傍にまで延設され、そこにストッパー固定部材２５が固定されている。ストッパー固定部材２５の外周には、所定間隔でストッパー嵌入穴２６が開口しており、回転ストッパー６０の長手方向の延長上の回転部本体３にストッパー貫通穴２７が開口している。また、この跳ね上げ式手摺１Ｂでは、スプリング４０の一端４０ｂが回転部本体３の中央部よりで軸固定具２０ａに固定され、スプリング４０の他端４０ａが回転部本体３の端部で固定されているため、軸固定具２０ａに対して回転部本体３を回動自在に取り付ける転がり軸受１０が、スプリング４０よりも回転部本体３の中央部よりに設けられている。なお、転がり軸受１０を取り付けるにあたり、転がり軸受１０の外輪１２と回転部本体３との嵌合具合、及び転がり軸受１０の内輪１１と軸固定具２０ａとの嵌合具合を適切なものとすることにより、Ｃ型留具３１等の取付具は省略されている。
【００３１】
一方、手摺本体２の内部には、ストッパー貫通穴２７を通してストッパー嵌入穴２６に着脱自在に嵌入する棒状の回転ストッパー６０が設けられている。回転ストッパー６０の回転部本体３側の端部にはスプリング６１が装着されている。このスプリング６１は、その一端６１ａが、回転ストッパー６０の先端部のフランジ６２に当接し、他端６１ｂがワッシャ６３を介して手摺本体２内に固定されたスプリング取付具６４に支持されている。このスプリング６１は、常時、回転ストッパー６０をストッパー嵌入穴２６に押しつける方向（矢印Ｘ方向）に付勢し、回転ストッパー６０の先端部をストッパー嵌入穴２６に嵌入させることで、回転部本体３の回動を規制する。
【００３２】
回転ストッパー６０の回転部本体３と反対側の端部には、回転ストッパー６０のストッパー嵌入穴２６への挿脱を操作する操作部として、レバー６５が設けられている。したがって、跳ね上げ式手摺１Ｂの使用者が随時レバー６５を握って回転部本体３と反対方向（矢印Ｙ方向）に引き寄せることにより、フランジ６２でスプリング６１が押されて縮む。また、回転ストッパー６０がストッパー嵌入穴２６から抜け、回動自在となる。よって、スプリング４０の付勢により手摺本体２を軽い力で跳ね上げ、また、回転系バンパー５０の制動により手摺本体２をゆっくりと回動降下させることができる。
【００３３】
そして、使用者がレバー６５を離すことにより、スプリング６１の付勢により回転ストッパー６０がストッパー嵌入穴２６に嵌入し、再度回転ストッパー６０の回動が規制される。
【００３４】
こうしてこの跳ね上げ式手摺１Ｂによれば、手摺の非使用時に不用意に手摺本体２が回動降下することを防止することができる。
【００３５】
なお、この跳ね上げ式手摺１Ｂにおいて、ストッパー固定部材２５におけるストッパー嵌入穴２６の形成間隔の調整により、手摺本体２が壁に沿って起立している状態（９０°）と水平に倒れている状態（０°）との間で、所望の角度で手摺本体２の回動を停止させることが可能となる。
【００３６】
図６に示す跳ね上げ式手摺１Ｃも、手摺が不用意に回動することを防止する回転ストッパー６０を有する。図７は、この跳ね上げ式手摺１Ｃの回転ストッパー６０付近の断面図であり、図８は回転部本体周りの断面図である。
【００３７】
この跳ね上げ式手摺１Ｃでは、回転部本体３の両端部が転がり軸受１０により回動自在に軸固定部２０ａ、２０ｂに取り付けられている。回転部本体３内にはスプリング４０と回転系ダンパー５０が設けられ、スプリング４０の一端４０ａが軸固定具２０ａに固定され、他端４０ｂが円筒状留具３４により回転部本体３に固定されている。軸固定具２０ａは、回転部本体３内の中央部近傍付近にまで延設され、そこにストッパー固定部材２５が固定されている。ストッパー固定部材２５の外周には、複数のストッパー嵌入穴２６が開口しており、回転ストッパー６０の長手方向の延長上の回転部本体３にストッパー貫通穴２７が開口している。また、このストッパー固定部材２５に、回転系ダンパー５０の回転軸５１が固定されている。回転系ダンパー５０の本体ケース５２は、ダンパー固定部品３２により回転部本体３に固定されている。
【００３８】
また、手摺本体２が回動上昇により壁面側に倒れることなく、床面に対して垂直に起立するように、ベースフレーム４の上部には突き当て部材７０が設けられている。
【００３９】
Ｕ字型に湾曲した手摺本体２の一対の基部同士を接続する接続パイプ５には、回転ストッパー６０のストッパー嵌入穴２６への挿脱を操作する操作部として操作ボタン６６が設けられている。接続パイプ５に操作部を設けることにより、介助する者と介助される者の双方にとって、手摺本体２が跳ね上げられている状態においても、回動降下した状態においても、操作部に容易に手が届き、挿脱操作が行いやすくなるので好ましい。本実施例において、操作ボタン６６は軸６７を回動中心とし、その一端が回転ストッパー６０と回動可能に接続し、他端が押圧部となっている。
【００４０】
回転ストッパー６０は、該回転ストッパー６０に取り付けられたフランジ６２と、スプリング取付具６４との間に配されたスプリング６１により、常時、回転部本体３側（矢印Ｘ方向）に付勢されており、操作ボタン６６が押圧されない状態では、図７に示すように、回転ストッパー６０の先端部が、ストッパー固定部材２５のストッパー嵌入孔２６に嵌入し、回転部本体３の回動を規制する。操作ボタン６６が矢印Ｐ方向に押し込まれると、図７に破線で示すように回転ストッパー６０は回転部本体３と反対側（矢印Ｙ方向）に移動し、図８に示すように回転ストッパー６０がストッパー嵌入孔２６から抜け、回転部本体３が回動自在となる。
【００４１】
したがって、跳ね上げ式手摺１Ｃの使用者は、使用開始時に手摺本体２が床面に対して垂直に起立している状態では、操作ボタン６６を押し込むことにより手摺本体２を回動可能とし、回動降下させる。また、使用後に手摺本体２を跳ね上げるときも再度操作ボタン６６を押し込むことにより手摺本体２を回動可能とし、回動上昇させる。回動降下時には回転系ダンパー５０の制動により手摺本体２はゆっくりと降下し、回動上昇時にはスプリング４０の付勢により手摺本体２を軽い力で跳ね上げることができるのは、前述の跳ね上げ式手摺１Ａ、１Ｂと同様である。
【符号の説明】
【００４２】
１Ａ、１Ｂ、１Ｃ    跳ね上げ式手摺
２    手摺本体
３    回転部本体
４    ベースフレーム
４ａ、４ｂ    取付プレート
５    接続パイプ
１０    転がり軸受
１１    内輪
１２    外輪
２０ａ、２０ｂ    軸固定具
２１    端部固定部材
２２    第１の内部固定部材
２３ａ、２３ｂ    第２の内部固定部材
２３ｐ  小孔
２３ｑ  凹部
２４    化粧カバー
２５    ストッパー固定部材
２６    ストッパー嵌入穴
２７    ストッパー貫通穴
３０    回転部本体の環状溝
３１    Ｃ型留具
３１ｐ  環状凸部
３２    ダンパー固定部品
３２ｐ  筒状部
３２ｑ  小孔
３３    円筒状留具
３４    円筒状留具
４０    スプリング
４０ａ、４０ｂ  スプリングの一端、他端
５０    回転系ダンパー
５１    回転軸
５２    本体ケース
６０    回転ストッパー
６１    スプリング
６１ａ、６１ｂ  スプリングの一端、他端
６２    フランジ
６３    ワッシャ
６４    スプリング取付具
６５    レバー
６６    操作ボタン
６７    軸
７０    突き当て部材
【図１】
2011190670.tif 000003
【図２Ａ】
2011190670.tif 000004
【図２Ｂ】
2011190670.tif 000005
【図３】
2011190670.tif 000006
【図４】
2011190670.tif 000007
【図５Ａ】
2011190670.tif 000008
【図５Ｂ】
2011190670.tif 000009
【図６】
2011190670.tif 000010
【図７】
2011190670.tif 000011
【図８】
2011190670.tif 000012